(57)【要約】【課題】真鍮又はステンレスを素材とする場合よりもコストが安価であり、かつ表面着色が容易に実現できるため、レフィールと当該ボディとを兼用することが可能であるような筆記用具の構成を提供すること。【解決手段】インクを収容するレフィール１の素材として、表面に酸化被膜を有しているアルミニウムを採用し、必要に応じて酸化被膜層において表面に着色を施すか、又は酸化被膜による銀白色によるカラーの状態にてレフィール１と外側ボディとを兼用していることに基づく筆記用具。【選択図】図１
2008272937.tif 000002
【特許請求の範囲】
【請求項１】
インクを収容するレフィールの素材として、表面に酸化被膜を形成しているアルミニウムを採用したことに基づく筆記用具。
【請求項２】
レフィールと外側ボディとを兼用していることを特徴とする請求項１記載の筆記用具。
【請求項３】
酸化被膜において着色剤を配合することによって表面に着色を施していることを特徴とする請求項２記載の筆記用具。
【請求項４】
レフィールが筆記対象物と当接し得る先端側のパイプと一体構成としていることを特徴とする請求項１、２、３の何れかに記載の筆記用具。
【請求項５】
レフィールが筆記対象物と当接し得る先端側のパイプと別体構成としていることを特徴とする請求項１、２、３の何れかに記載の筆記用具。
【発明の詳細な説明】
【技術分野】
【０００１】
本発明は、ボールペン、サインペン等のように、インクを収容するためにレフィールを採用している筆記用具に関するものである。
【背景技術】
【０００２】
従来筆記用具に採用されているレフィールの素材としては、インクの侵食、更には外側表面の酸化を防止することの必要上、通常ニッケルによる無電解表面塗装が行われている真鍮（黄銅）、又はステンレスが採用されている。
【０００３】
しかしながら、真鍮及びステンレスは素材のコストが高く、特に近年そのような傾向が著しい状態にある。
【０００４】
しかも、真鍮及びステンレスは何れも比重が大きいため、軽量のレフィールを実現するには不適格である。
【０００５】
更には、ニッケルによる無電解表面塗装が行われている真鍮及びステンレスの場合には表面における着色塗装が困難である。
【０００６】
このような状況を反映して、レフィールとして真鍮又はステンレスを採用した場合には、レフィール自体を外側ボディと兼用することは実際には行われていない。
【０００７】
このため、通常レフィールをカバーする外側ボディを別途設けることが行われている。
【０００８】
アルミニウムは軽量であり、かつ表面においてアルマイト（Ａｌ２Ｏ３）等の表面被膜を形成によって、インクの侵食を防止することが可能であるにも拘らず、従来技術においては、アルミニウムをレフィールの素材とすることについては決して着目されていなかった。
【０００９】
因みに、レフィールを使用した筆記用具においてアルミニウム更にはアルマイトは、特許物件１及び同２に示すように、精々インクを構成する粉末素材として使用されているに過ぎない。
【特許文献１】特開２００２−２０６０６６号公報。
【特許文献２】特開２００６−１６４７６号公報。
【発明の開示】
【発明が解決しようとする課題】
【００１０】
本発明は、真鍮又はステンレスを素材とする場合よりもコストが安価であり、かつ表面着色が容易に実現できるため、レフィールと外側ボディとを兼用することに適合し易い筆記用具の構成を提供することを課題としている。
【課題を解決するための手段】
【００１１】
前記課題を解決するため、本発明の基本構成は、インクを収容するレフィールの素材として、表面に酸化被膜を形成しているアルミニウムを採用したことに基づく筆記用具からなる。
【発明の効果】
【００１２】
前記基本構成によるレフィールを採用した筆記用具の場合には、従前の真鍮又はステンレスを採用した筆記用具に比し経済コストが安価であり、かつ軽量の状態にて筆記を行うことが可能であると共に、酸化被膜層において所望の着色を行うことができるので、レフィールと外側ボディとを兼用した一重の構成による筆記用具という画期的な構成に適合し易い状況にある。
【００１３】
しかも、表面にアルマイト（Ａｌ２Ｏ３）等の酸化被膜を形成することによって、内部におけるインク等の浸食及び外部における酸化の防止を行うことが可能であり、かつこの点において、従来技術の場合のように、ニッケルによる無電解表面塗装が行われている真鍮又はステンレスの場合と変わりはない
【発明を実施するための最良の形態】
【００１４】
アルミニウム金属を陽極（アノード）としたうえで、シュウ酸（（ＣＯＯＨ）２）又は硫酸（Ｈ２ＳＯ４）等の強酸中にて電気分解を行った場合（アノード処理を行った場合）には、アルミニウムの表面に多孔性の酸化被膜、即ちアルマイト被膜が形成されることは周知である。
【００１５】
そして、前記酸化被膜とアルミニウム金属との界面には、２０〜３０ｎｍの緻密な被膜が形成され、その上側層において直径数十〜数百ｎｍの微細な針孔が略垂直方向に厚さ約数μｍの被膜方向に形成され、前記針孔状の細孔中に顔料等の着色剤を封入することによる着色方法もまた周知である。
【００１６】
このような周知の方法を本発明において、レフィール１を形成しているアルミニウム被膜に適用した場合には、当然表面において所望の着色を行うことができる。
【００１７】
このような場合、レフィール１に対し外側ボディとして適切な着色を行うことによって、レフィール１自体を外側ボディとして兼用することが可能となる。
但し、前記着色をせずに、アルマイトによる銀白色のカラーを選択することによって外側ボディとの兼用も当然可能である。
【００１８】
これに対し、従来技術のように、真鍮又はステンレスを素材としてレフィール１を形成した場合には、表面における酸化被膜における細孔に顔料の着色剤を封入することができないため、強固な表面に着色を施すことは不可能であり、かつ真鍮の表面において無電解表面塗装を行っているニッケル又はステンレスの地肌は金属光沢が著しいことを原因として、背景技術の項において説明したように、通常外側ボディと兼用することは行われていない。
【００１９】
レフィール１と外側ボディとを兼用する場合には、外側表面については単に円筒形だけではなく、長手方向に沿って径を適宜変化させる構成も採用可能であり、かつ当該構成は前記のような径の変化状況に対応した金型を使用することによって当然実現可能である。
【００２０】
以下、実施例に従って説明する。
【実施例１】
【００２１】
実施例１は、図１に示すように、レフィール１が筆記対象物と当接し得る先端側のパイプと一体構成としていることを特徴としている。
【００２２】
前記一体構成の場合には、図１（ａ）に示すように、先端部において流出したインクをレフィール１内部において空気によって充填するために一方では空気が透過し、他方ではインクが自らの表面張力によって流出し得ないような微細な空気孔１１を形成することを必要とする。
但し、空気孔１１は、必ずしも先端部に設ける必要はなく、図１（ｂ）に示すように、後端部に設けることも可能であり、その場合には通常尾栓とレフィール１との間に形成する場合が多い。
【００２３】
このように、先端部のパイプ２とレフィール１を一体形成した場合には、レフィール１と先端部のパイプ２との接合工程を省略することが可能であり、製造コストにおいて有利である。
【００２４】
特に、レフィール１と外側ボディとを兼用した実施形態（図１の場合には当該実施形態に適合し得る）の場合には、このような製造工程の簡略化は更に一層顕著である。
【実施例２】
【００２５】
実施例２は、図２に示すように、レフィール１が筆記対象物と当接し得る先端側のパイプと別体としていることを特徴としている（尚、図２においては、レフィール１と先端部のパイプ２との間に肩部４を介在させるという通常の製法の場合を示しているが、肩部４とレフィール１を一体構成する設計も可能である。）。
【００２６】
実施例２においても、実施例１と同様の空気孔１１の存在を必要としており、通常レフィール１と先端部のパイプ２との接続部との間に設けることになる。具体的には、図２（ａ）に示すように、レフィール１と別体として設けた肩部４との接続部、又は図２（ｂ）に示すように、レフィール１と当該肩部４と先端部のパイプ２との接続部において、前記空気孔１１を形成する場合が多い。
尚、実施例２においても、空気孔１１を図１（ｂ）の場合と同様に、後端部側に設けることは当然可能である。
【００２７】
実施例２は、レフィール１と先端部のパイプ２とが別体であり、実施例１に比し、製造工程の簡略化において一歩劣る。
【００２８】
しかしながら、実施例１の場合には、レフィール１と先端部のパイプ２とが必然的に同一の着色とならざるを得ないのに対し、実施例２においては、双方が別体構成であるため異なる着色を実現し、バラエティに富んだ色彩を採用することが可能であり、この点において実施例１とは別のデザイン上のメリットが存在する。
【産業上の利用可能性】
【００２９】
本発明はレフィールを採用する全筆記用具の製造分野において利用することが可能である。
【図面の簡単な説明】
【００３０】
【図１】実施例１の構成を示す断面図であり、（ａ）は空気孔をレフィールの先端部に設けた場合を示しており、（ｂ）は空気孔をレフィールの後端部に設けた場合を示す。
【図２】実施例２の構成を示す断面図であり、（ａ）はレフィールと肩部との間に空気孔を設けた場合を示しており、（ｂ）は肩部と先端部のパイプとの間に空気孔を設けた場合を示す。
【符号の説明】
【００３１】
１  レフィール
１１  空気孔
２  先端部のパイプ
３  後端部の尾栓
４  肩部
【図１】
2008272937.tif 000003
【図２】
2008272937.tif 000004